(57)【要約】【課題】擬餌針（サビキ針）作成には、釣り針と疑似餌材料を密着させる密着工程、固定用の糸を使って釣り針に疑似餌材料を固定させる糸巻工程、巻いた糸を貼り付けて固定する為の接着工程、更に、夜光色、蛍光色、蓄光色の塗料を用いた着色工程が必要である。これら工程を如何に省略するかを課題とする。【解決手段】基材の両面に粘着層を備えさせて、前記基材及び/又は前記粘着層に、夜光又は、蛍光又は、蓄光、の特性を備えさせたことを特徴とするサビキ用両面テープを作成する。【選択図】  図１
2014161301.tif 000002
【特許請求の範囲】
【請求項１】
基材の両面に粘着層を備えさせて、前記基材及び/又は前記粘着層に、夜光又は、蛍光又は、蓄光、の特性を備えさせたことを特徴とするサビキ用両面テープ。
【発明の詳細な説明】
【技術分野】
【０００１】
本発明は、疑似（サビキ）針作成を簡略化する事を目的に、基材の両面に粘着層を備えさせて、前記基材及び/又は前記粘着層に夜光又は、蛍光又は、蓄光、の特性を備えさせたことを特徴とするサビキ用両面テープに関するものである。
【背景技術】
【０００２】
擬餌針を作る様々な作業とは、一般的には釣り針と疑似餌材料を密着させる第１工程の密着工程、密着させた上から固定用の糸を巻いて、釣り針に疑似餌材料を固定させる第２工程の糸巻工程、巻き終わった糸を括り止めした後に接着剤を用いて貼り付け固定する第３工程の接着行程、及び接着行程終了後に、夜光又は、蛍光又は、蓄光塗料を用いた第４工程の着色工程が必要であった。
【先行技術文献】
【特許文献】
【０００３】
【特許文献１】特許公開平０４−３５５１２５
【特許文献２】特開平０５−００７４４１
【０００４】
特許公開平０４−３５５１２５には、光分散シート及びその製法が、又、特開平０５−００７４４１には前記光分散シートを用いた擬餌針が公開されている。これらの文献の中には、製造工程の中で着色された支持フィルムの両側に粘着層を備えさせている事が公開されている。
【０００５】
これはあくまで、光分散シートの製造工程の過程で光反射材を接着させる為に両面粘着層を備えているに過ぎない、前記光分散シートや前記擬餌針に、製品使用時においては粘着層は存在しないので、ただ単に着色は施されているが、両面の粘着層は存在しなので、０００２項で述べた、擬餌針（サビキ針）作成における着色工程が省略されるが、密着工程、糸巻工程、接着行程は行わねばならない。
【０００６】
０００２項の工程を省略させる為には、既成の両面テープがある。前記既成の両面テープは、ただ単に、疑似餌材料を両面テープの内側に貼り付け、釣り針を内側の粘着層（内面粘着層）で二つ折りに包み込む手段で、外側の粘着力（外面粘着層）を利用して、固定用の糸を巻き付けた際に、前記糸が外面粘着層に絡んで貼り付くので、接着剤を用いなくても糸の固定が出来るだけで、擬餌針作成に必要な着色を行う着色工程は省略する事は出来ない。その為、固定糸による糸巻行程の後に、蛍光、蓄光、夜光のいずれかの塗料を塗る着色工程が必要となる。
【発明の概要】
【発明が解決しようとする課題】
【０００７】
本願発明サビキ用両面テープは、擬餌針作成時の作業の工程を省略する事を課題とする。
【課題を解決するための手段】
【０００８】
上記課題を解決する為に、基材の両面に粘着層を備えさせて、前記基材及び/又は前記粘着層に夜光又は、蛍光又は、蓄光、の特性を備えさせたことを特徴とするサビキ用両面テープ作成する。
【発明の効果】
【０００９】
基材の両面に粘着層を備えさせて、前記基材及び/又は前記粘着層に夜光又は、蛍光又は、蓄光、の特性を備えさせたことを特徴とするサビキ用両面テープ作成する。この効果を以下に述べる。
【００１０】
以下において、擬餌針をサビキ針と記載する。
【００１１】
０００２項で述べた、サビキ針作成工程においては、密着工程、糸巻工程、接着行程、着色工程（夜行、蛍光、蓄光塗料によるもの）が必要である。
【００１２】
本来、この工程において、既成の両面テープを用いる事で、０００６項で述べたように密着工程、接着作業は省略されるが、着色工程は行う必要がある。また、０００４項で述べた、先行技術では、着色工程は省略されるが、密着工程および接着行程は省略されない。
【００１３】
本願発明サビキ用テープは、製品使用時において両面粘着層を備え、且つ、夜光又は、蛍光又は、蓄光、の特性を備えさせているので、密着工程、接着行程、着色工程の三工程を同時に省略することが可能になる。
【図面の簡単な説明】
【００１４】
【図１】本願発明サビキ用テープ１の断面図
【図２】図１で示すサビキ用テープ１の側面図
【図３】テグスに括った釣り針７に図２で示す本願発明サビキ用テープ１を貼り付けた側面図
【図４】図３において、本願発明サビキ用テープ１を二つ折に折り込んで釣り針７を包み込んだ側面図
【図５】図４において、固定用の糸８を本願発明サビキテープの外面粘着層３に巻き付けた側面図
【発明を実施するための形態】
【００１５】
本願発明サビキ用テープ１とは、図１の断面図で示す夜光又は、蛍光又は、蓄光、の特性を持つ基材２を中心として、その両側に一対の粘着層３、３´を設け、更に外側に一対の剥離紙４，４´を設けたものである。
【００１６】
剥離紙４をはがした状態の菱形の本願発明サビキ用テープの側面図を図２で示す。
【００１７】
図３は、糸状の疑似餌材料５を図２に示す本願発明サビキ用テープ１の内面粘着層３´に貼り付けてその右方から裏側に折り返して、外面粘着層３（裏面で見えない）に貼り付けて左方に収めた状態を示す。この状態で、尚、釣り糸６で括った釣り針７に内面粘着層３´に貼り付けた状態を示す。
【００１８】
図４は、図３で示す釣り針７の根元に、内粘着層３´（内側に隠れて見えない）で貼り付けた釣り針針６の内側に、二つ折りに折り込んだものを示す。この状態で釣り針は外面粘着層３を備えている。
【００１９】
図５は、図４で示す釣り針７の外側粘着層３に、固定用の糸８で巻き付けて、外面粘着層３の粘着効果により、接着剤を用いないで貼り付け固定された状態を示す。固定用の糸８は結び止めしなくても粘着層に絡みついてより貼り付け固定される。
【００２０】
一般的なサビキ針の作成では、０００２項で前述した密着、糸巻、接着、着色の四工程の必要がある。
【００２１】
この工程を省略する為に、既製品の両面テープを用いる手段では、００１９項に引きづき、着色工程を行わねばならないが、本願発明サビキ用テープ１を用いた場合は、前記着色工程は省略されるので、００１９項において、サビキ針作成の工程は完了する。
【００２２】
尚、既製品の片面テープや０００４項の先行技術では、製品使用時において片面もしくは全面に粘着層が存在しないので、外面粘着層３の粘着力を利用することは出来ないので、固定用の糸８を巻き付けた場合、括り止めの後、接着行程を行わねばならない。
【００２３】
本願発明サビキ用テープは、製品使用時において両面粘着層を備え、且つ、夜光又は、蛍光又は、蓄光、の特性を備えさせているので、密着工程、接着行程、着色工程の三工程を同時に省略することが可能になる。
【００２４】
０００６項で述べたように、両面テープとは、内面粘着層を貼った対象物に外面粘着層を利用して他のものに貼り付けるという事を想定して作られています。
【００２５】
この為、両面テープは使用された時に両面が隠れてしまう（粘着層が無くなり、色彩は必要ない）ので、夜光又は、蛍光又は、蓄光、の特性を持つ事による新たな発想、新たな機能については想起されておらず、０００４項で前述した製品作成工程の中で着色した基材の両面に粘着層を持たせる場合はありますが、製品使用時において、夜光又は、蛍光又は、蓄光、の特性を持たせて、その機能を利用することは考えておらず、使用する際に、夜光又は、蛍光又は、蓄光、の特性を持たせた両面テープは考えられていません。
【００２６】
尚、本願発明サビキ用テープの特性である、夜光、蛍光、蓄光の特性を備えさせた両面粘着層（両面テープ）は、サビキ針作成の仕様のみならず、光を透過するもの（透明フィルムやガラス透明プラスチック等）を両面に貼り付ける事が出来て、外面に色彩を持たせる効果がある。
【００２７】
この効果を利用して、趣味（プラモデル等）や生活用品（コップの底面や、コースター等）様々な分野において、利用することが出来る。
【００２８】
又、貼り絵に使う画材に用いた場合、ちぎった紙をキャンパスに内面粘着層に貼り付けた場合、夜光、蛍光、蓄光の色彩を備えた外面粘着層が出来るので、これを利用して新たに別の色彩のある粉等をトッピングする事が可能となる。
【符号の説明】
【００２９】
１    本願発明サビキ用テープ
２    夜光、又は蛍光、又は蓄光の特色を備えた基材
３    粘着層
４    剥離紙
５    疑似餌材料
６    釣り糸
７    釣り針
８    固定用の糸
【図１】
2014161301.tif 000003
【図２】
2014161301.tif 000004
【図３】
2014161301.tif 000005
【図４】
2014161301.tif 000006
【図５】
2014161301.tif 000007
【手続補正書】
【提出日】平成25年3月1日(2013.3.1)
【手続補正１】
【補正対象書類名】明細書
【補正対象項目名】全文
【補正方法】変更
【補正の内容】
【発明の詳細な説明】
【技術分野】
【０００１】
本発明は、疑似（サビキ）針作成を簡略化する事を目的に、基材の両面に粘着層を備えさせて、前記基材及び/又は前記粘着層に夜光又は、蛍光又は、蓄光、の特性を備えさせたことを特徴とするサビキ用両面テープに関するものである。
【背景技術】
【０００２】
擬餌針を作る様々な作業とは、一般的には釣り針と疑似餌材料を密着させる第１工程の密着工程、密着させた上から固定用の糸を巻いて、釣り針に疑似餌材料を固定させる第２工程の糸巻工程、巻き終わった糸を括り止めした後に接着剤を用いて貼り付け固定する第３工程の接着行程、及び接着行程終了後に、夜光又は、蛍光又は、蓄光塗料を用いた第４工程の着色工程が必要であった。
【先行技術文献】
【特許文献】
【０００３】
【特許文献１】特許公開平０４−３５５１２５
【特許文献２】特開平０５−００７４４１
【０００４】
特許公開平０４−３５５１２５には、光分散シート及びその製法が、又、特開平０５−００７４４１には前記光分散シートを用いた擬餌針が公開されている。これらの文献の中には、製造工程の中で着色された支持フィルムの両側に粘着層を備えさせている事が公開されている。
【０００５】
これはあくまで、光分散シートの製造工程の過程で光反射材を接着させる為に両面粘着層を備えているに過ぎない、前記光分散シートや前記擬餌針に、製品使用時においては粘着層は存在しないので、ただ単に着色は施されているが、両面の粘着層は存在しなので、０００２項で述べた、擬餌針（サビキ針）作成における着色工程が省略されるが、密着工程、、糸巻工程、接着行程は行わねばならない。
【０００６】
０００２項の工程を省略させる為には、既成の両面テープがある。前記既成の両面テープは、ただ単に、疑似餌材料を両面テープの内側に貼り付け、釣り針を内側の粘着層（内面粘着層）で二つ折りに包み込む手段で、外側の粘着力（外面粘着層）を利用して、固定用の糸を巻き付けた際に、前記糸が外面粘着層に絡んで貼り付くので、接着剤を用いなくても糸の固定が出来るだけで、擬餌針作成に必要な着色を行う着色工程は省略する事は出来ない。その為、固定糸による糸巻行程の後に、蛍光、蓄光、夜光のいずれかの塗料を塗る着色工程が必要となる。
【発明の概要】
【発明が解決しようとする課題】
【０００７】
本願発明サビキ用両面テープは、擬餌針作成時の作業の工程を省略する事を課題とする。
【課題を解決するための手段】
【０００８】
上記課題を解決する為に、基材の両面に粘着層を備えさせて、前記基材及び/又は前記粘着層に夜光又は、蛍光又は、蓄光、の特性を備えさせたことを特徴とするサビキ用両面テープ作成する。
【発明の効果】
【０００９】
基材の両面に粘着層を備えさせて、前記基材及び/又は前記粘着層に夜光又は、蛍光又は、蓄光、の特性を備えさせたことを特徴とするサビキ用両面テープ作成する。この効果を以下に述べる。
【００１０】
以下において、擬餌針をサビキ針と記載する。
【００１１】
０００２項で述べた、サビキ針作成工程においては、密着工程、糸巻工程、接着行程、着色工程（夜行、蛍光、蓄光塗料によるもの）が必要である。
【００１２】
本来、この工程において、既成の両面テープを用いる事で、０００６項で述べたように密着工程、接着作業は省略されるが、着色工程は行う必要がある。また、０００４項で述べた、先行技術では、着色工程は省略されるが、密着工程および接着行程は省略されない。
【００１３】
本願発明サビキ用テープは、製品使用時において両面粘着層を備え、且つ、夜光又は、蛍光又は、蓄光、の特性を備えさせているので、密着工程、接着行程、着色工程の三工程を同時に省略することが可能になる。
【図面の簡単な説明】
【００１４】
【図１】本願発明サビキ用テープ１の断面図
【図２】図１で示すサビキ用テープ１の側面図
【図３】テグスに括った釣り針７に図２で示す本願発明サビキ用テープ１を貼り付けた側面図
【図４】図３において、本願発明サビキ用テープ１を二つ折に折り込んで釣り針７を包み込んだ側面図
【図５】図４において、固定用の糸８を本願発明サビキテープの外面粘着層３に巻き付けた側面図
【発明を実施するための形態】
【００１５】
本願発明サビキ用テープ１とは、図１の断面図で示す夜光又は、蛍光又は、蓄光、の特性を持つ基材２を中心として、その両側に一対の粘着層３、３´を設け、更に外側に一対の剥離紙４，４´を設けたものである。
【００１６】
剥離紙４をはがした状態の菱形の本願発明サビキ用テープの側面図を図２で示す。
【００１７】
図３は、糸状の疑似餌材料５を図２に示す本願発明サビキ用テープ１の内面粘着層３´に貼り付けてその右方から裏側に折り返して、外面粘着層３（裏面で見えない）に貼り付けて左方に収めたものを示す。図３では、これを、釣り糸６で括った釣り針７に内面粘着層３´に貼り付けた状態を示す。
【００１８】
図４は、図３で示す釣り針７の根元に、内粘着層３´（内側に隠れて見えない）で貼り付けた釣り針針６の内側に、二つ折りに折り込んだものを示す。この状態で釣り針は外面粘着層３を備えている。
【００１９】
図５は、図４で示す釣り針７の外側粘着層３に、新たな固定用の糸８で巻き付けて、外面粘着層３の粘着効果により、接着剤を用いないで貼り付け固定された状態を示す。前記固定用の糸８は結び止めしなくても粘着層に絡みついて貼り付け固定される。
【００２０】
一般的なサビキ針の作成では、０００２項で前述した密着、糸巻、接着、着色の四工程の必要がある。
【００２１】
この工程を省略する為に、既製品の両面テープを用いる手段では、００１９項に引き続き、着色工程を行わねばならないが、本願発明サビキ用テープ１を用いた場合は、前記着色工程は省略されるので、図５で示す００１９項の作業にて、サビキ針作成の工程は完了する（着色工程は必要ない）。
【００２２】
尚、既製品の片面テープや０００４項の先行技術では、製品使用時において片面もしくは全面に粘着層が存在しないので、両面粘着層３、３´の粘着力を利用することは出来ないので、固定用の糸８を巻き付けた場合、括り止めの後、接着行程を行わねばならない。
【００２３】
本願発明サビキ用テープは、製品使用時において両面粘着層を備え、且つ、夜光又は、蛍光又は、蓄光、の特性を備えさせているので、密着工程、接着行程、着色工程の三工程を同時に省略することが可能になる。
【００２４】
従来の両面テープは、内面粘着層を貼った対象物に外面粘着層を利用して他のものに貼り付けるという事を想定して作られています。
【００２５】
この為、両面テープは使用された時に両面が隠れてしまう（粘着層が無くなり、色彩は必要ない）のが当たり前なので、夜光又は、蛍光又は、蓄光、の特性を持つ事による新たな発想、新たな機能については想起されておらず、０００４項で前述した先行技術は、製造工程の中でのみ、着色した基材の両面に粘着層を一時的に持たせる場合はありますが、製品使用時において、両面粘着層を備えておらず、その機能を使用時に利用することは出来ない（従来の両面テープは使用時には色彩は必要ないという発想）ので、前述した、本願発明サビキ用テープの機能は備えていません。
【００２６】
尚、本願発明サビキ用テープの特性である、夜光、蛍光、蓄光の特性を備えさせた両面粘着層（両面テープ）は、サビキ針作成の仕様のみならず、光を透過するもの（透明フィルムやガラス透明プラスチック等）を両面に貼り付ける事が出来て、外面に色彩を持たせる
効果を備えています。
【００２７】
この効果を利用して、趣味（プラモデル等）や生活用品（コップの底面や、コースター等）様々な分野において、利用することが出来る。
【００２８】
又、貼り絵に使う画材に用いた場合、ちぎった紙をキャンパスに内面粘着層に貼り付けた場合、夜光、蛍光、蓄光の色彩を備えた外面粘着層が出来るので、これを利用して新たに別の色彩のある粉等をトッピングする事が可能となる。
【符号の説明】
【００２９】
１    本願発明サビキ用テープ
２    夜光、又は蛍光、又は蓄光の特色を備えた基材
３    粘着層
４    剥離紙
５    疑似餌材料
６    釣り糸
７    釣り針
８    固定用の糸
【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
基材の両面に内面粘着層と外面粘着層を備えさせて、前記基材及び/又は前記粘着層に、夜光又は、蛍光又は、蓄光、の特性を備えさせ、釣り針に内面粘着層を用いて貼り付け、貼り付けた釣り針の外面に夜光、蓄光、蛍光の特性を持つ外面粘着層を備えさせる機能を持つことを特徴とする疑似針用両面テープ。